(57)【特許請求の範囲】
【請求項１】
互いに接続されることなく各々独立して構成され、所定の間隔を開けて並んで配列された複数の桟部材と、
各々壁面に固定され、前記桟部材の各々と前記壁面との間に介在されて前記桟部材を支持する複数の支持部材と、
前記桟部材を対応する前記支持部材及び前記壁面に外部から見えないように固定する複数の固定手段と、
を含む格子構造。
【請求項２】
前記桟部材の配列方向に沿う前記支持部材の幅が、前記桟部材の幅以下とされている請求項１に記載の格子構造。
【請求項３】
前記桟部材及び前記支持部材の一方に設けられた溝部、並びに前記桟部材及び前記支持部材の他方に設けられて前記溝部に嵌合される突部により、前記桟部材と前記支持部材とを前記桟部材の長手方向に相対移動可能に係合する係合部を含む請求項１又は請求項２に記載の格子構造。
【請求項４】
前記支持部材は、所定高さとされ、高さ方向の一方の面に前記突部が設けられると共に、前記突部とは反対側の面に別の支持部材に設けられた前記突部が嵌合可能な凹部が設けられている請求項３に記載の格子構造。
【請求項５】
前記桟部材は、前記支持部材とは反対側に向けて開口された開口部が設けられ、前記開口部内において前記支持部材と共に前記壁面に固定される裏部材、及び前記支持部材とは反対側に配置されて前記開口部を閉止する表部材を含む請求項１から請求項４の何れか１項に記載の格子構造。
【請求項６】
前記桟部材の前記支持部材側の角部が湾曲されている請求項１から請求項５の何れか１項に記載の格子構造。
【請求項７】
請求項１から請求項６の何れか１項に記載の格子構造の格子を壁面に設ける格子取付方法であって、
複数の前記支持部材は、前記桟部材の幅寸法より長い所定長さの矩形ブロック状に形成されていると共に、幅方向の一側における長手方向の両側の角部に円弧状に湾曲した面取り部が設けられており、
任意の一の前記支持部材の幅方向の一側の側面を前記壁面上に配置された基準部材の基準端面に当接させた状態で長手方向の一側の角部にて仮固定し、
前記仮固定した前記支持部材を、前記基準端面に対して固定点まわりに所定角度回転させた状態で、前記支持部材の長手方向が前記桟部材の長手方向となるように前記桟部材を前記支持部材に重ね、当該桟部材を前記支持部材と共に前記壁面に固定し、
上記の前記支持部材の仮固定及び前記桟部材の本固定を繰り返して前記壁面に複数の前記桟部材を取り付けて格子を完成させる際に、隣り合う支持部材の一方の支持部材の幅方向の他側の側面を他方の支持部材の幅方向の他側における長手方向の一側の角部に突き当てるか、隣り合う支持部材の一方の支持部材の幅方向の他側の側面に他方の支持部材の幅方向の他側における長手方向の一側の角部を突き当てるか、又は、隣り合う支持部材の一方の支持部材の幅方向の他側における長手方向の一側の角部に他方の支持部材の幅方向の他側における長手方向の他側の角部を突き当てて位置決めを行う、
ことを特徴とする格子取付方法。
【請求項８】
複数の前記支持部材は、長手方向に隣接して配置されており、かつ、幅方向の他側における長手方向の両側又は一側の角部にて分離可能に接続されている、請求項７に記載の格子取付方法。
【請求項９】
前記面取り部の曲率中心位置を、前記支持部材の幅方向の中心位置を通る中心線上に設けた請求項７又は請求項８に記載の格子取付方法。
【請求項１０】
前記支持部材の各々の前記壁面とは反対側の面に、前記面取り部の曲率中心位置を示す指標を設けた請求項７から請求項９の何れか１項に記載の格子取付方法。
【発明の詳細な説明】
【技術分野】
【０００１】
本発明は、建物の外壁などに設けられる格子構造及び格子取付方法に関する。
【背景技術】
【０００２】
住宅などの建物では、防犯性或いは意匠性の向上を図るために、窓などの開口部に面格子などの格子が取り付けられることがある。窓に取り付けられる格子は、横方向に配置される横桟、及び縦方向に配置された複数の縦桟を備え、横桟側（窓側）から螺合されるネジによって縦桟が横桟に固定されると共に、窓開口の幅方向両側の建物壁面に取り付けられたブラケットに横桟が固定される（例えば、特許文献１参照）。
【０００３】
ところで、横桟及び縦桟を備える格子においては、縦桟の固定に用いられている横桟が縦桟の間に現れており、縦桟の間に現れる横桟が格子の見栄えを損ねてしまうことがある。また、複数の横桟の間に複数の縦桟が架け渡されて固定された格子においては、例えば、縦桟の一部（例えば１本）を取り換える場合に、縦桟が取り付けられている横桟を建物壁面から取り外さなければならず、縦桟の交換作業が煩雑となってしまう。
【先行技術文献】
【特許文献】
【０００４】
【特許文献１】特開２００９−０７９３７０号公報
【発明の概要】
【発明が解決しようとする課題】
【０００５】
本発明は上記事実に鑑みてなされたものであり、見栄えが損ねられるのを抑制できると共に、桟部材の取り付け及び取り換えが容易な格子構造及び格子取付方法を提供することを目的とする。
【課題を解決するための手段】
【０００６】
上記目的を達成するための第１の態様は、各々独立に構成されると共に、並んで配置された複数の桟部材と、被取付面に固定され、前記桟部材の各々と前記被取付面との間に介在されて前記桟部材を支持する複数の支持部材と、前記桟部材を対応する前記支持部材及び前記被取付面に外部から見えないように固定する複数の固定手段と、を含む。
【０００７】
第１の態様では、各々が独立している複数の桟部材が、被取付面との間に介在されている複数の支持部材を介して支持されており、支持部材は、桟部材ごとに設けられている。固定手段は、桟部材を対応する支持部材及び被取付面に固定する。この際、固定手段は、外部から見えないようにされている。
【０００８】
これにより、複数の桟部材は、桟部材の間に見えることにより見栄えを損ねる横桟などを用いることなく被取付面に固定できるので、高い意匠性が得られる。また、桟部材ごとに支持部材を介して被取付面に固定されるので、桟部材の取り付けが容易となる。しかも、桟部材を取り換える場合、取り換える桟部材のみを取り外せるので、桟部材の取り換えが容易となる。
【０００９】
第２の態様は、第１の態様において、前記桟部材の配列方向に沿う前記支持部材の幅が、前記桟部材の幅以下とされている。
【００１０】
第２の態様では、桟部材の配列方向に沿う支持部材の幅が、桟部材の幅以下とされている。これにより、支持部材を介して桟部材を被取付面に固定すると、支持部材は、桟部材に重なるので、支持部材が桟部材の脇に現れて見栄えが損ねられるのを抑制でき、意匠性の向上を図れる。なお、支持部材の幅は、桟部材の幅より狭いことがより好ましく、これにより、支持部材が桟部材に隠れるので、支持部材が桟部材の脇から現れるのをより抑制できて、意匠性の向上を図れる。
【００１１】
第３の態様は、第１又は第２の態様において、前記桟部材及び前記支持部材の一方に設けられた溝部、並びに前記桟部材及び前記支持部材の他方に設けられて前記溝部に嵌合される突部により、前記桟部材と前記支持部材とを前記桟部材の長手方向に相対移動可能に係合する係合部を含む。
【００１２】
第３の態様では、係合部が溝部及び溝部に嵌合される突部を含んでおり、桟部材及び支持部材の一方に突部が設けられると共に、桟部材及び支持部材の他方に突部が設けられている。また、係合部は、桟部材と支持部材とを桟部材の長手方向に相対移動可能に係合する。
【００１３】
これにより、突部を溝部に嵌合させることで桟部材を支持部材に組み付けることができるので、支持部材への桟部材の組み付けが容易となる。また、桟部材と支持部材とは、桟部材の長手方向に相対移動可能とされているので、支持部材に対する桟部材の位置の調整が容易となり、桟部材の取り付け及び取り換えの際の作業性の向上を図れる。
【００１４】
第４の態様は、第３の態様において、前記支持部材は、所定高さとされ、高さ方向の一方の面に前記突部が設けられると共に、前記突部とは反対側の面に別の支持部材に設けられた前記突部が嵌合可能な凹部が設けられている。
【００１５】
第４の態様では、支持部材の一方の面に突部が設けられ、突部とは反対側の面に他の支持部材の突部が嵌合可能な凹部が設けられている。これにより、支持部材の凹部に別の支持部材の突部を嵌合することで、複数の支持部材を重ねることができるので、桟部材を支持する支持部材の高さの調整を容易にできる。
【００１６】
第５の態様では、第１から第４の態様の何れかにおいて、前記桟部材は、前記支持部材とは反対側に向けて開口された開口部が設けられ、前記開口部内において前記支持部材と共に前記被取付面に固定される裏部材、及び前記支持部材とは反対側に配置されて前記開口部を閉止する表部材を含む。
【００１７】
第５の態様では、桟部材が表部材、及び裏部材により構成されている。裏部材には、表部材に向けて開口された開口部が設けられており、裏部材は、開口部内において支持部材と共に被取付面に固定される。また、表部材は、支持部材の開口部を閉止する。
【００１８】
これにより、開口部からスクリューなどの固定手段を用いて、裏部材を支持部材と共に被取付面へ固定することができる。また、表部材は、裏部材の開口部を閉止するので、裏部材を被取付面へ固定するための固定手段を隠すことができるので、裏部材を被取付面に固定するための部品により桟部材の見栄えが損ねられるのを抑制できる。
【００１９】
第６の態様は、第１の態様から第５の態様の何れかにおいて、前記桟部材の前記支持部材側の角部が湾曲されている。
【００２０】
第６の態様では、桟部材の支持部材側の角部が湾曲されている。これにより、複数の桟部材の間を通る光の範囲が広がるので、窓などの開口部の屋外側に複数の桟部材が配列されていても、開口部の屋内側の採光性が低下するのが抑制されると共に、開口部が設けられている屋内側の壁面近傍をも明るくすることがきできる。しかも、桟部材の湾曲部に当たる光は、開口側へ反射するので、開口部に複数の桟部材を配列した際の採光性の向上が図られる。
【００２１】
第７の態様は、第１の態様から第６の態様の何れかにおいて、複数の前記支持部材は、前記桟部材の幅寸法より長い所定長さの矩形ブロック状に形成されていると共に、幅方向の一側における長手方向の両側の角部に円弧状に湾曲した面取り部が設けられており、任意の一の前記支持部材の幅方向の一側の側面を前記被取付面上に配置された基準部材の基準端面に当接させた状態で長手方向の一側の角部にて仮固定し、前記仮固定した前記支持部材を、前記基準端面に対して固定点まわりに所定角度回転させた状態で、前記支持部材の長手方向が前記桟部材の長手方向となるように前記桟部材を前記支持部材に重ね、当該桟部材を前記支持部材と共に前記被取付面に固定し、上記の前記支持部材の仮固定及び前記桟部材の本固定を繰り返して前記被取付面に複数の前記桟部材を取り付けて格子を完成させる際に、隣り合う支持部材の一方の支持部材の幅方向の他側の側面を他方の支持部材の幅方向の他側における長手方向の一側の角部に突き当てるか、隣り合う支持部材の一方の支持部材の幅方向の他側の側面に他方の支持部材の幅方向の他側における長手方向の一側の角部を突き当てるか、又は、隣り合う支持部材の一方の支持部材の幅方向の他側における長手方向の一側の角部に他方の支持部材の幅方向の他側における長手方向の他側の角部を突き当てて位置決めを行う、ことを特徴とする。
【００２２】
第７の態様では、複数の支持部材が桟部材の幅寸法より長い所定長さの矩形ブロック状に形成されていると共に、各々の支持部材の幅方向の一側における長手方向の両側の角部に円弧状に湾曲した面取り部が設けられている。
【００２３】
被取付面への桟部材の取り付けは、任意の一の支持部材の幅方向の一側の側面を被取付面上に配置された基準部材の基準端面に当接させた状態で長手方向の一側の角部にて仮固定し、仮固定した支持部材を、基準端面に対して固定点まわりに所定角度回転させた状態で、支持部材の長手方向が桟部材の長手方向となるように桟部材を支持部材に重ね、当該桟部材を支持部材と共に被取付面に固定して行う。格子は、上記の支持部材の仮固定及び桟部材の本固定を繰り返して被取付面に複数の桟部材を取り付けて完成される。
【００２４】
ここで、桟部材を支持する支持部材の各々の位置決めは、隣り合う支持部材の一方の支持部材の幅方向の他側における長手方向の一側の角部に他方の支持部材の幅方向の他側における長手方向の他側の角部を突き当てて位置決めを行う。また、桟部材を支持する支持部材の各々の位置決めは、隣り合う支持部材の一方の支持部材の幅方向の他側の側面を他方の支持部材の幅方向の他側における長手方向の一側の角部に突き当てて行っても良く、隣り合う支持部材の一方の支持部材の幅方向の他側の側面に他方の支持部材の幅方向の他側における長手方向の一側の角部を突き当てて行っても良い。
【００２５】
これにより、簡単な作業で、複数の支持部材の各々を用いて、複数の桟部材が等間隔で配列された格子が得られる。
【００２６】
第８の態様は、第７の態様において、複数の前記支持部材は、長手方向に隣接して配置されており、かつ、幅方向の他側における長手方向の両側又は一側の角部にて分離可能に接続されている。
【００２７】
第８の態様では、複数の支持部材が長手方向に連続されて、幅方向において分離可能に接続されている。これにより、複数の支持部材は、幅方向の一側が同一方向に向けられて並べられているので、複数の支持部材を一体で基準端面に当接するように配置できるので、作業性の向上を図れる。
【００２８】
第９の態様は、第７の態様又は第８の態様において、前記面取り部の曲率中心位置を、前記支持部材の幅方向の中心位置を通る中心線上に設けている。
【００２９】
第９の態様では、面取り部の曲率中心位置が支持部材の幅方向の中央位置を通る中心線上に設けられている。このような支持部材を用いることで、桟部材を支持する支持部材の各々の位置決めに、隣り合う支持部材の一方の支持部材の幅方向の他側の側面を他方の支持部材の幅方向の他側における長手方向の一側の角部に突き当てるか、隣り合う支持部材の一方の支持部材の幅方向の他側の側面に他方の支持部材の幅方向の他側における長手方向の一側の角部を突き当てるか、隣り合う支持部材の一方の支持部材の幅方向の他側における長手方向の一側の角部に他方の支持部材の幅方向の他側における長手方向の他側の角部を突き当てるかのいずれおも適用できる。従って、被取付面への支持部材の位置決め作業が容易となる。
【００３０】
第１０の態様は、第７の態様から第９の態様の何れかにおいて、前記支持部材の各々の前記被取付面とは反対側の面に、前記面取り部の曲率中心位置を示す指標を設けている。
【００３１】
第１０の態様では、支持部材に、面取り部の円弧の曲率中心位置を示す指標を設けている。これにより、支持部材を仮固定する際、回転中心とする位置が明確となるので、作業性の効率化を図れる。
【発明の効果】
【００３２】
以上説明したように第１の態様によれば、桟部材ごとに設けた支持部材を介して複数の桟部材の各々を被取付面に固定するので、見栄えが損なわれるのを抑制できると共に、桟部材の取り付け及び取り換えが容易となる、という効果がある。
【００３３】
第２の態様によれば、桟部材の脇から支持部材が見えるのを抑制できるので、意匠性の向上が図られる、という効果がある。
【００３４】
第３の態様によれば、支持部材への桟部材の組み付けが容易となると共に、支持部材に対する桟部材の長さ方向の位置調整が容易となる、という効果がある。
【００３５】
第４の態様によれば、被取付面に対する桟部材の取り付け高さを任意に設定することができる、という効果がある。
【００３６】
第５の態様によれば、桟部材の見栄えが損ねられるのを抑制できる、という効果がある。
【００３７】
第６の態様によれば、桟部材による採光性の低下を抑制できる、という効果がある。
【００３８】
第７の態様によれば、複数の桟部材を等間隔で配列するための支持部材の位置決めが容易となる、という効果がある。
【００３９】
第８の態様によれば、複数の支持部材を基準端面に当接させる作業が容易となる、という効果がある。
【００４０】
第９の態様によれば、複数の支持部材の仮固定の作業性の向上を図れる、という効果がある。
【００４１】
第１０の態様によれば、支持部材の各々の適正な位置を被取付面に仮固定することができる、という効果がある。
【図面の簡単な説明】
【００４２】
【図１】本実施の形態に係る格子を示す正面図である。
【図２】本実施の形態に係る格子が設けられた建物の外観を示す概略斜視図である。
【図３】格子の主要部分を示し斜視図である。
【図４】（Ａ）及び（Ｂ）は、複数のスペーサを示す幅方向の一側から見た斜視図であり、（Ａ）は複数が接続されたスペーサを示し、（Ｂ）は複数が重ねられたスペーサを示している。
【図５】（Ａ）〜（Ｄ）は、順にスペーサ及び桟部材の取り付けを示す正面図である。
【図６】（Ａ）〜（Ｃ）は、順にスペーサ及び桟部材の取り付けの他方方法を示す正面図である
【図７】格子が設けられた外壁部の主要部を示す上方から見た概略断面図である。
【図８】（Ａ）及び（Ｂ）は平面上に桟部材を配列した格子を示す正面図である。
【図９】曲面に桟部材を配列した格子を示す正面図である。
【発明を実施するための形態】
【００４３】
以下、図面を参照して本発明の実施の形態の一例を詳細に説明する。
図２には、本実施の形態に係る建物１０の外観が斜視図にて示されている。建物１０としては、住宅などが適用されており、建物１０は、周囲が外壁部１２により囲われると共に、上部が屋根部１４によって覆われている。建物１０の外壁部１２表面は、被取付面とされており、外壁部１２には、本実施の形態に係る格子１６が設けられている。
【００４４】
図１には、格子１６が建物１０の外側（屋外）から見た正面図にて示されている。図１及び図２に示されるように、建物１０には、外壁部１２に開口部１８が設けられており、開口部１８には、屋外側に格子１６が取り付けられている。図１に示されるように、開口部１８には、サッシ（サッシ枠）１８Ａが取り付けられており、開口部１８は、サッシ１８Ａに設けられた図示しないサッシ戸により開閉可能とされている。建物１０の内部（屋内）には、格子１６を介して開口部１８から採光可能とされていると共に、通気可能とされている。
【００４５】
格子１６には、各々の外形が長尺棒状とされた複数の桟部材２０が用いられている。格子１６は、桟部材２０の各々の長手方向が上下方向に向けられており、格子１６は、複数の桟部材２０が開口部１８の幅方向（水平方向）に沿って配列された所謂縦格子とされている。
【００４６】
図３には、格子１６の正面側から見た桟部材２０の主要部が斜視図にて示されている。図３に示されるように、桟部材２０には、表部材２２及び裏部材２４が設けられており、表部材２２及び裏部材２４は、樹脂製又は金属製とされて、長尺とされている。本実施の形態では、表部材２２及び裏部材２４が樹脂製とされており、表部材２２及び裏部材２４において少なくとも外周面（外周を形成する面）に金属光沢が施されている。なお、表部材２２及び裏部材２４は、光の反射率の比較的高い白色系の塗料により塗装されていても良い。
【００４７】
裏部材２４は、外壁部１２側に配置され、表部材２２は、外壁部１２とは反対側に配置される。表部材２２は、略平板帯状とされており、一方の面が意匠面とされて建物１０の外側（外壁部１２とは反対側）へ向けられる。また、表部材２２の裏面（意匠面とは反対側の面）には、突出板２６が対で設けてられている。突出板２６は、所定の間隔とされて、表部材２２の幅方向の両側部から突出されており、突出板２６は、表部材２２の長手方向に延伸されている。突出板２６には、突出先端部に係合爪２６Ａが設けられており、一対の突出板２６において係合爪２６Ａは、互いに反対方向側（表部材２２の幅方向外側）へ向けて突出されていると共に、表部材２２の長手方向に延伸されている。
【００４８】
裏部材２４には、略平板帯状とされた基部２８Ａが設けられており、基部２８Ａの幅方向の両端には、表部材２２側へ向けて一対の側板部２８Ｂが突出されている。側板部２８Ｂは、基部２８Ａの長手方向に延伸されている。側板部２８Ｂは、突出方向の中間部分から基部２８Ａとの間が略円弧状に湾曲された湾曲部２８Ｃとされており、湾曲部２８Ｃは、裏部材２４の長手方向に延伸されている。裏部材２４は、湾曲部２８Ｃにより外壁部１２側の角部が面取りされていると共に、湾曲部２８Ｃより外壁部１２側の角部が湾曲された断面略Ｕ字状とされている。一対の側板部２８Ｂの間隔は、基部２８Ａ側から突出方向の中間部分までの間で表部材２２側へ向けて徐々に大きくされており、裏部材２４は、一対の側板部２８Ｂの間が表部材２２側へ開口されて開口部２４Ａが形成されている。
【００４９】
一対の側板部２８Ｂは、表部材２２側の開口部分における外面の間隔が表部材２２の幅と略同様か又は表部材２２の幅より僅かに小さくされている。また、一対の側板部２８Ｂの開口部分の内面の間隔は、表部材２２の突出板２６が挿入可能な間隔とされている。また、一対の側板部２８Ｂの内面には、基部２８Ａとは反対側の開口近傍に係止爪３０が対で設けられている。係止爪３０は、表部材２２の係合爪２６Ａに対応されており、係止爪３０は、側板部２８Ｂの内面から突出されていると共に、裏部材２４の長手方向に延伸されている。
【００５０】
表部材２２は、突出板２６が裏部材２４の側板部２８Ｂの間に嵌め込まれる。表部材２２は、長手方向の略全域において突出板２６の係合爪２６Ａが係止爪３０に係合されることで、裏部材２４に係止されると共に、裏部材２４の開口部２４Ａを閉止する。この際、桟部材２０は、表部材２２の幅方向の両端の端面と裏部材２４の側板部２８Ｂの表部材２２側の外面とが面一にされている。
【００５１】
桟部材２０は、上下の開口端に閉鎖部材としてのエンドキャップ３２が装着される。エンドキャップ３２は、平面形状が桟部材２０の外周形状と同様とされると共に、一方の面に突部３２Ａが形成されており、突部３２Ａの外形形状は、桟部材２０の端部開口の内面形状と略同様とされている。エンドキャップ３２は、桟部材２０（表部材２２及び裏部材２４）の長手方向両端の開口に突部３２Ａが嵌合されて桟部材２０に装着される。これにより、桟部材２０では、突出板２６の間にエンドキャップ３２の突部３２Ａが入り込んで係合爪２６Ａの係止爪３０への係止解除が阻止されると共に、表部材２２と裏部材２４との長手方向への相対移動が制限される。
【００５２】
基部２８Ａには、表部材２２とは反対側の面に係合部としての溝部３４が設けられている。溝部３４は、基部２８Ａから対で突出された立壁３４Ａにより形成されており、立壁３４Ａは、基部２８Ａから突出されていると共に、基部２８Ａの長手方向に延伸されている。これにより、溝部３４は、裏部材２４の全長に亘って形成されている。
【００５３】
図３に示されるように、桟部材２０と外壁部１２との間には、支持部材としての樹脂製のスペーサ３６が配置される。スペーサ３６は、全体として長尺略矩形状のブロック状とされており、長手方向の長さＬ及び高さＨが予め定められている。また、スペーサ３６の幅方向の寸法（幅寸法）Ｄは、裏部材２４の一対の立壁３４Ａの外側面間の間隔と略同様とされており、桟部材２０の幅よりも狭い幅とされている。
【００５４】
スペーサ３６には、高さ方向の一方の面に係合部及び突部としての係合突部３８が設けられており、スペーサ３６は、係合突部３８が裏部材２４（桟部材２０）の溝部３４に対応されていると共に、係合突部３８とは反対側の面が外壁部１２表面に対応されている。
【００５５】
係合突部３８は、スペーサ３６の長手方向に長い略矩形形状とされており、係合突部３８は、スペーサ３６の長手方向の中央部分において幅方向の両端面が互いに平行とされている。また、係合突部３８は、幅方向の両端面の間隔である幅寸法Ｄ０が裏部材２４の立壁３４Ａの内面間隔（内法）と略同様とされていると共に、突出高さが裏部材２４の立壁３４Ａの突出高さよりも僅かに低くされている。
【００５６】
スペーサ３６は、係合突部３８とは反対側の面が外壁部１２の表面に向けられて、皿頭のスクリュー４０により外壁部１２に仮固定される。裏部材２４は、長手方向がスペーサ３６の長手方向に合わせられて、裏部材２４の溝部３４にスペーサ３６の係合突部３８が嵌め込まれる。これにより、裏部材２４は、スペーサ３６を介して外壁部１２表面に支持されると共に、スペーサ３６に対して長手方向に相対移動可能とされている。なお、裏部材２４は、少なくとも２か所においてスペーサ３６を介して外壁部１２に支持される。
【００５７】
裏部材２４は、固定手段としてのスクリュー４２が開口部２４Ａから挿入されて基部２８Ａに螺合される。これにより、スペーサ３６は、スクリュー４０、４２により外壁部１２に固定されて、裏部材２４は、スペーサ３６を介して外壁部１２に締結固定される。
【００５８】
一方、図４（Ａ）には、複数が長手方向に接続されたスペーサ３６が示されており、図４（Ｂ）には、複数が重ねられたスペーサ３６が示されている。図４（Ａ）及び図４（Ｂ）に示されるように、スペーサ３６には、係合突部３８とは反対側の面（外壁部１２側となる面）に凹部としての係合凹部３８Ａが形成されている。係合凹部３８Ａは、係合突部３８（他のスペーサ３６の係合突部３８）が嵌め込み可能な内面形状とされている。これにより、図４（Ｂ）に示されるように、スペーサ３６は、係合凹部３８Ａに他のスペーサ３６の係合突部３８を嵌合させることで、複数が積み重ね可能となっている。スペーサ３６は、複数が積み重ねられることで桟部材２０を支持する高さ（外壁部１２表面と裏部材の基部２８Ａとの間隔）が変更可能となっている。
【００５９】
図２に示されるように、スペーサ３６は、幅方向の一側の側面４４Ａにおいて長手方向の端面４４Ｂ、４４Ｃとの間の２箇所の角部４６Ａ、４６Ｂが所定半径の円弧状に湾曲されている。これにより、スペーサ３６には、側面４４Ａ側において長手方向の両側の角部４６Ａ、４６Ｂに面取り部４８が形成されている。面取り部４８は、角部４６Ａ、４６Ｂが１／４周の円弧状とされている。また、面取り部４８における円弧の半径は、スペーサ３６の幅寸法の１／２（Ｄ／２）とされている。
【００６０】
また、スペーサ３６には、外壁部１２に締結固定する際のスクリュー４０の螺合位置の目標とされる指標５０が設けられている。指標５０は、係合突部３８の表面において、正面視で一方の面取り部４８（本実施の形態では、角部４６Ａの面取り部４８）の曲率中心と重なる位置に刻設されている。また、面取り部４８の円弧の半径は、スペーサ３６の幅寸法Ｄの１／２とされており、指標５０は、スペーサ３６の幅方向の中心位置を通る中心線上に設けられている。
【００６１】
図４（Ａ）に示されるように、スペーサ３６は、複数個が接続されて樹脂の一体成形により形成されている。この際、複数のスペーサ３６は、側面４４Ａが同一側とされると共に、指標５０が長手方向の同一側とされて長手方向に連続されている。また。スペーサ３６は、幅方向において側面４４Ａ側とは反対側となる側面４４Ｄにおける長手方向の角部（角部４６Ａ、４６Ｂとは反対側の角部）が接続部５２とされており、スペーサ３６は、接続部５２において隣接するスペーサ３６に接続されている。これにより、複数のスペーサ３６は、接続部５２の間隔及び指標５０の間隔が一つのスペーサ３６の長さＬとされている、また、接続部５２は、薄肉とされており、互いに隣接するスペーサ３６は、カッターナイフなどの切除手段を用いることで分離可能とされている。
【００６２】
以下に、本実施の形態の作用として、図５（Ａ）〜図５（Ｄ）を参照しながら、桟部材２０の各々の長手方向が上下方向とされた格子１６の組み付けを例に説明する。なお、桟部材２０は、少なくとも２箇所においてスペーサ３６により支持されるので、一体とされた複数のスペーサ３６は、少なくとも上下２段に配置されるが、以下では、１段分について説明する。
【００６３】
図５（Ａ）に示されるように、スペーサ３６を外壁部１２に取り付ける場合、格子１６を取り付ける外壁部１２にスペーサ３６の取り付けの基準とする基準部材５４が用いられる。基準部材５４は、少なくとも一つの基準端面５４Ａが平面（曲がりや湾曲のない面）とされていれば良く、複数のスペーサ３６を水平方向に沿って配列する場合、基準端面５４Ａが水平とされていれば良い。なお、基準部材５４としては、外壁部１２に仮設されても良い。また、基準部材５４は、複数のスペーサ３６を所定の位置及び向き（例えば各スペーサ３６の側面４４Ａを水平）に配置し得るものであれば任意の部材を用いて良い。
【００６４】
複数のスペーサ３６は、両側に面取り部４８が設けられている側面４４Ａが基準部材５４の基準端面５４Ａに当接されると共に、長手方向の一端側のスペーサ３６が所定位置となるように配置される。ここで、複数のスペーサ３６は、側面４４Ａが同一側へ向けられて接続されているため、基準端面５４Ａにスペーサ３６の側面４４Ａを当接させる作業が容易となっている。また、スペーサ３６は、端面４４Ｂに隣接するスペーサ３６の端面４４Ｃに当接されているので、複数のスペーサ３６が等間隔に位置決め可能となっている。
【００６５】
次に、各スペーサ３６について、指標５０にスクリュー４０を螺合することで、スペーサ３６を外壁部１２に締結する。これにより、外壁部１２には、スペーサ３６の長さ寸法Ｌの間隔でスクリュー４０が螺合されるので、各スペーサ３６は、長さＬの間隔で外壁部１２に位置決めされて仮固定される。
【００６６】
この後、複数のスペーサ３６を接続部５２において切り離する。これにより、各スペーサ３６は、スクリュー４０を軸に回転可能とされる。この際、指標５０は、スペーサ３６の面取り部４８の円弧の曲率中心位置に設けられているので、スペーサ３６を回転するのに最適な位置にスクリュー４０を螺合するのが容易となっている。
【００６７】
この後、図５（Ｂ）に示されるように、一端側のスペーサ３６（図５（Ｂ）では、右側）から順にスクリュー４０を軸に回転させることで、各スペーサ３６の長手方向を桟部材２０の長手方向に合わせる。この際、基準部材５４は、スペーサ３６を回転するのに先立って外壁部１２から取り外される。スペーサ３６の回転は、スペーサ３６の長手方向においてスクリュー４０とは反対側の端面４４Ｃを下方に向けるように行われる（図５（Ｂ）の矢印方向）。また、スペーサ３６は、長手方向が基準端面５４Ａに対して垂直に配置されることが好ましい。
【００６８】
これにより、各スペーサ３６は、長手方向が上下方向とされると共に、等間隔で配列される。また、各スペーサ３６は、上端及び下端が直線状に揃えられて配列される。この際、スペーサ３６に面取り部４８が設けられていることで、回転されるスペーサ３６の角部４６Ａ、４６Ｂが隣接するスペーサ３６に引っかかるのを抑制できるので、スペーサ３６の各々を円滑に回転させることができる。従って、隣接するスペーサ３６の間で長手方向の端面４４Ｂ、４４Ｃが当接していても、各スペーサ３６の回転作業が容易となっている。
【００６９】
次に、図５（Ｃ）に示されるように、スペーサ３６の係合突部３８を裏部材２４の溝部３４に嵌め込んで、スペーサ３６に裏部材２４を取り付ける。この際、溝部３４を形成する立壁３４Ａの高さに対して、スペーサ３６の係合突部３８の突出高さを短く（低く）すると共に、スペーサ３６の仮固定に皿頭のスクリュー４０を用いるので、裏部材２４がスペーサ３６から浮き上がるのが抑制される。また、裏部材２４は、溝部３４に係合突部３８が嵌合されていることにより長手方向に相対移動可能とされているので、裏部材２４の上下方向位置（長手方向位置）の調整が容易となっている。
【００７０】
この後、裏部材２４の開口部２４Ａから挿入するスクリュー４２により、基部２８Ａをスペーサ３６と共に外壁部１２に締結固定する。これにより、スペーサ３６は、スクリュー４０及びスクリュー４２により２か所で外壁部１２に固定されるので、回転が阻止される。また、裏部材２４は、少なくとも２か所においてスペーサ３６に支持されて外壁部１２に固定される。
【００７１】
桟部材２０は、スペーサ３６に裏部材２４を固定し、固定した裏部材２４に表部材２２及びエンドキャップ３２を取り付けることで外壁部１２に取り付けられる。これにより、図５（Ｄ）に示されるように、格子１６は、互いに隣接する桟部材２０が幅方向の中心間隔Ｗをスペーサ３６の長さＬとされ、かつ等間隔とされて外壁部１２に配列される。
【００７２】
このように構成された格子１６は、桟部材２０ごとに設けたスペーサ３６を介して外壁部１２に固定されるので、横桟が不要となっている。このため、格子１６は、桟部材２０の間から横桟が見えないので、横桟による見栄えの低下が抑制される。また、スペーサ３６の幅寸法は、桟部材２０の幅寸法よりも狭く（小さく）なっているので、桟部材２０の間からスペーサ３６が見えるのが抑制されている。これにより、格子１６は、見栄えの低下が一層抑制される。しかも、スペーサ３６は、上端及び下端が揃えられて外壁部１２に取り付けられているので、桟部材２０の間からスペーサ３６が見えたとしても、スペーサ３６が見栄えを損ねるのが抑制される。従って、建物１０の開口部１８には、見栄えの良い格子１６が取り付けられる。なお、本実施の形態では、スペーサ３６の幅寸法を桟部材２０の幅寸法よりも小さくしたが、スペーサ３６の幅寸法は、桟部材２０の幅寸法（表部材２２の幅寸法）以下であれば良く、これにより、正面視において桟部材２０によりスペーサを隠すことができる。
【００７３】
また、格子１６では、桟部材２０ごとにスペーサ３６を設けているので、桟部材２０を取り換える場合、取り換える桟部材２０のみを取り外せば良いで、桟部材２０の取り換え作業が容易となる。また、桟部材２０は、裏部材２４がスペーサ３６に対して長手方向に相対移動可能とされているので、新たな桟部材２０に用いられる裏部材２４の高さ調整（上下方向の位置調整）が容易となっている。しかも、桟部材２０は、裏部材２４に設けられた溝部３４にスペーサ３６に設けられた係合突部３８を嵌合させる簡単な構成とされているので、スペーサ３６への裏部材２４の組み付けが容易となっている。
【００７４】
さらに、桟部材２０は、裏部材２４が開口部２４Ａから挿入されるスクリュー４２により外壁部１２に締結固定されており、この開口部２４Ａを表部材２２により閉止する。これにより、桟部材２０は、外壁部１２へ固定するためのスクリュー４２等が隠されるので、スクリュー４２が見栄えを損ねるのを抑制できる。また、裏部材２４への表部材２２の組み付けは、表部材２２の突出板２６を裏部材２４の一対の側板部２８Ｂの間へ嵌め込むのみで良いため、裏部材２４と表部材２２との組み付けが極めて容易となっている。しかも、エンドキャップ３２は、裏部材２４に対する表部材２２の相対移動を規制すると共に、表部材２２が裏部材２４から外れるのを抑制しているので、桟部材２０は、裏部材２４から表部材２２が外れてしまうのを抑制できる。
【００７５】
なお、以上の説明では、複数が一体に連結されたスペーサ３６を用いたが、スペーサ３６は、互いに接続されていなくとも良い（個々に分離されていても良く、個々に分離されて製造されても良い）。この場合、スペーサ３６の各々の側面４４Ａを基準端面５４Ａへ当接させると共に、端面４４Ｂ、４４Ｃを隣接するスペーサ３６の端面４４Ｃ、４４Ｂに当接させて位置決めして、外壁部１２に仮固定すれば良い。
【００７６】
また、複数のスペーサ３６が互いに接続されていない場合、仮固定と回転とを１つずつのスペーサ３６について順に行うようにしても良い。図６（Ａ）〜図６（Ｃ）には、個々の分離されているスペーサ３６の取り付けの一例を示している。
【００７７】
図６（Ａ）に示されるように、スペーサ３６の取り付けには、基準部材５４が用いられる。この場合の基準部材５４としては、外壁部１２に胴差が設けられている場合、この胴差を基準部材５４としても良く、開口部１８の周縁に窓枠（サッシ枠）などが設けられて外壁部１２表面から突出されている場合、窓枠等を基準部材５４として用いても良い。
【００７８】
スペーサ３６は、配列方向（基準端面５４Ａに沿う方向）の一端側（ここでは右側）から順に取り付けられ、最初のスペーサ３６について、端面４４Ｂを基準端面５４Ａに当接させることで、基準端面５４Ａに対して長手方向を垂直に位置決めして外壁部１２に仮固定する。次のスペーサ３６は、側面４４Ａを基準端面５４Ａに当接させて、基準端面５４Ａ上を仮固定したスペーサ３６へ向けて移動させて（図６（Ａ）の横向き矢印方向）、長手方向の一方の端面４４Ｃを仮固定したスペーサ３６の側面４４Ｄに当接させて位置決めする。この後に、長手方向が基準端面５４Ａに平行とされたスペーサ３６について、スクリュー４０により外壁部１２へ回転可能に仮固定する。次に、このスペーサ３６を回転させることで（図６（Ａ）の回転矢印方向）、長手方向を基準端面５４Ａに対して垂直となるように外壁部１２に仮固定する。
【００７９】
各スペーサ３６について上記作業を繰り返すことで、図６（Ｂ）に示されるように、複数のスペーサ３６の各々の長手方向が上下方向に設けられて、かつ互いの間隔が一定（幅方向の中心位置の間隔がスペーサ３６の長さＬ）にされて配列される。この後、スペーサ３６の係合突部３８を裏部材２４の溝部３４に嵌め込み、裏部材２４をスクリュー４２により締結固定する。さらに、裏部材２４の各々に表部材２２及びエンドキャップ３２を取り付けることで、図６（Ｃ）に示されるように、複数の桟部材２０の各々が長手方向を基準端面５４Ａに対して垂直となるように配列される。
【００８０】
従って、分離されているスペーサ３６を用いても、桟部材２０をスペーサ３６の長さＬの間隔でかつ等間隔に配列することができる。また、分離されているスペーサ３６を用いる場合、複数のスペーサ３６の全てについて、一度に側面４４Ａを基準端面５４Ａに配列させなくとも等間隔に位置決めして配列できるので、作業性の向上を図れる。
【００８１】
また、以上の説明では、面取り部４８の曲率中心をスペーサ３６の幅方向の中心位置を通る直線上としたが、面取り部４８の曲率中心の位置はこれに限るものではない。面取り部は、１／４周の円弧であれば良く、面取り部を設ける場合の曲率中心は、スペーサの幅方向においてスペーサの幅方向の中心よりも幅方向の一側とは反対側の側面側に寄っていれば良い。
【００８２】
面取り部の曲率中心がスペーサの幅方向の中心線よりも幅方向の一側とは反対側の側面側によっている場合、スペーサの各々の幅方向の一側の側面を基準端面５４Ａへ当接させると共に、幅方向の一側とは反対側における長手方向の一側の角部が、隣接するスペーサの幅方向の一側とは反対側における長手方向の他側の角部に突き当てて位置決めしても良い。この際、スペーサの長手方向を基準端面５４Ａに対してさせて垂直となるように回転させることにより、回転させたスペーサの幅方向の一側とは反対側の側面は、隣接するスペーサの幅方向の一側とは反対側における長手方向の一側の角部から離れるが、隣接するスペーサの回転中心の間隔がスペーサの長さＬとされて、等間隔に位置決めできる。
【００８３】
また、面取り部の曲率中心がスペーサの幅方向の中心線よりも幅方向の一側とは反対側に寄っている場合、仮固定と回転とを１つずつのスペーサについて順に行うようにしても良い。即ち、最初のスペーサについて、幅方向の一側とは反対側において長手方向の一側の角部を基準端面５４Ａに当接させることで、基準端面５４Ａに対して長手方向を垂直に位置決めして外壁部１２に仮固定する。仮固定したスペーサに隣接するスペーサに対しては、幅方向の一側の側面を基準端面５４Ａに当接させると共に、幅方向の一側とは反対側において長手方向の一側の角部を、仮固定したスペーサの幅方向の一側とは反対側の側面に当接させることで位置決めして、回転可能に仮固定する。この後に、このスペーサを長手方向が基準端面５４Ａに対して垂直となるように回転させても良い。この際、互いに隣接するスペーサの回転中心の間隔は、スペーサ３６の長さＬよりも僅かに短くなるが長くなるが、等間隔に位置決めできる。
【００８４】
従って、複数のスペーサは、幅方向の一側における長手方向の両側の角部に円弧状に湾曲した面取り部が設けされていることで、隣り合うスペーサの一方のスペーサの幅方向の他側の側面を他方のスペーサの幅方向の他側における長手方向の一側の角部に突き当てるか、隣り合うスペーサの一方の支持部材の幅方向の他側の側面に他方のスペーサの幅方向の他側における長手方向の一側の角部を突き当てるか、又は、隣り合うスペーサの一方の支持部材の幅方向の他側における長手方向の一側の角部に他方のスペーサの幅方向の他側における長手方向の他側の角部を突き突き当てるかのいずれかの方法を適用することで、等間隔となるように位置決めできる。
【００８５】
一方、図７には、格子１６が取り付けられた開口部１８の一部が上方から見た断面図にて示されている。桟部材２０に用いる裏部材２４は、開口部１８側の角部部分に湾曲部２８Ｃが設けられている。これに対して、一般な縦桟は、図７において破線で示されるように外形が矩形状とされている。
【００８６】
ここで、互いに隣接する桟部材２０の間から開口部１８を介して建物１０の屋内に入り込む光（外光〕の範囲αは、一般的な縦桟（図７において破線で示す縦桟）の間から開口部１８を介して建物１０の屋内に入り込む光の範囲βより広くなっている（α＞β）。なお、桟部材２０及び一般的な縦桟において光の入る範囲は、隣接する部材において一方の部材の屋外側の角部と他方の部材の屋内側の角部分を結ぶ延長線の範囲（角度）としている。
【００８７】
従って、桟部材２０を用いた格子１６は、矩形形状の縦桟を用いた格子よりも採光範囲が広いので、開口部１８から建物１０の内部への採光性が低下するのを抑制できる。また、格子１６は、一般的な縦桟が用いられた格子よりも、隣接する桟部材２０の間からの採光範囲が広いので、屋内の外壁部１２壁面近傍（開口部１８を除く外壁部１２壁面近傍）まで明るくなる。しかも、桟部材２０の表面は、金属色等とされていることにより、湾曲部２８Ｃの表面において光（外光）を開口部１８内へ向けて反射できるので、格子１６は、採光性が低下するのを一層抑制できる。
【００８８】
なお、以上説明した本実施の形態では、同じ長さの桟部材２０を横方向（水平方向）に配列した格子１６を例に説明したが、図８（Ａ）、図８（Ｂ）及び図９に示されるように、桟部材２０は、任意の長さに配列しても良い。
【００８９】
図８（Ａ）に示される格子６０は、スペーサ３６が水平方向に直線状とされて配列されており、同じ長さの桟部材２０が、水平方向に配列されてスペーサ３６に取り付けられている。ここで、格子６０では、互いに隣接する桟部材２０の間で、上下方向の位置が段階的に変えられている。これにより、格子６０は、桟部材２０の上端及び下端の位置が波のように変化されている。
【００９０】
図８（Ｂ）に示される格子６２は、スペーサ３６が水平方向に直線状とされて配列されており、桟部材２０が、水平方向に配列されてスペーサ３６に取り付けられている。ここで、格子６２では、桟部材２０の上下方向の中間位置が略同じとされているが、互いに隣接する桟部材２０の間で、長さが段階的に変えられている。これにより、格子６２は、桟部材２０の上端及び下端の位置が円弧状に変化されている。
【００９１】
従って、桟部材２０ごとにスペーサ３６を設けることで、桟部材２０の長さや、桟部材２０に対するスペーサ３６の位置を任意に定めることができるので、格子６０、６２等のように意匠性の高い格子を形成することができる。
【００９２】
また、図９に示される格子６４は、被取付面として湾曲された壁面６６が適用されている。スペーサ３６は、上下方向の位置が同じとされて壁面６６に取り付けられており、各スペーサ３６には、長さの同じ桟部材２０が取り付けられている。なお、壁面６６に開口部６６Ａが設けられている場合、スペーサ３６は、開口部６６Ａの上側及び下側の各々に配列されて取り付けられる。
【００９３】
このように、桟部材２０ごとにスペーサ３６を設けることで、平面に限らず湾曲した壁面６６を被取付面として格子６４を設けることができる。また、湾曲された壁面６６においては、互いに隣接する桟部材２０の間では、略平面とみなせるので、複数のスペーサ３６を長さＬの間隔で位置決めして配列することができる。しかも、湾曲した壁面６６に横桟を設ける場合、壁面６６の湾曲に沿って横桟を加工する必要があるが、格子６４は、横桟が用いられないので、壁面６６への取り付けが簡単となっている。
【００９４】
なお、以上の説明では、桟部材２０の長手方向を上下方向に配置した格子１６、６０、６２、６４を適用したが、桟部材２０の配列方向は、これに限るものではない。桟部材２０は、長手方向が水平方向とされて配列されても良く、桟部材２０は、長手方向が水平方向及び上下方向に傾斜されていても良い。何れの場合においても、桟部材２０の被取付面側に複数の桟部材２０を一体で支持するための横桟などの桟部材を設ける必要がないので、意匠性の高い格子を形成することができる。
【００９５】
さらに、本実施の形態では、建物１０の開口部１８に格子１６を設けるように説明したが、桟部材２０により形成される格子は、高い意匠性が得られるので、開口部１８等の無い壁面に設けられても良い。また、桟部材２０は、建物１０の屋内の壁面に設けて飾りの格子などを形成するのに用いても良い。
【００９６】
なお、本実施の形態では、係合部として桟部材２０（裏部材２４）に溝部３４を設けると共にスペーサ３６に係合突部３８を設けたが、桟部材２０側に長手方向に延伸されるか又は所定の間隔に配列された突部を設け、スペーサ３６には、突部が嵌合される凹部を設けても良い。また、係合部は、桟部材と支持部材とが桟部材の長手方向に沿った任意の位置で係合可能であれば良い。
【符号の説明】
【００９７】
１０    建物
１６、６０、６２、６４    格子
２０    桟部材
２２    表部材
２４    裏部材
２８Ｃ    湾曲部
３２    エンドキャップ（閉鎖部材）
３４    溝部（係合部）
３６    スペーサ（支持部材）
３８    係合突部（係合部、突部）
３８Ａ    係合凹部（凹部）
４２    スクリュー（固定手段）
４４Ａ    側面（幅方向の一側）
４４Ｂ、４４Ｃ    端面（長手方向の一側及び他側）
４４Ｄ    側面（幅方向の他側）
４６Ａ、４６Ｂ    角部
４８    面取り部
５０    指標
５２    接続部
【図１】
0006726519.tif 000002
【図２】
0006726519.tif 000003
【図３】
0006726519.tif 000004
【図４】
0006726519.tif 000005
【図５】
0006726519.tif 000006
【図６】
0006726519.tif 000007
【図７】
0006726519.tif 000008
【図８】
0006726519.tif 000009
【図９】
0006726519.tif 000010